(57)【要約】  本開示における無線通信システムは、第１の無線通信機器と、第１の無線通信機器との間で無線通信を行う第２の無線通信機器と、を有する。第２の無線通信機器は、指向性を有する無線通信方式における接続認証を第１の無線通信機器との間で完了した後、指向性を有する無線通信方式で接続可能な指向領域を通知する。また、本開示における送信端末は、受信端末との間で無線通信を行う。送信端末は、指向性を有する無線通信方式における接続認証を行う接続認証部と、接続認証が受信端末との間で完了した後、指向性を有する無線通信方式で接続可能な指向領域を通知する制御部と、を有する。
2019097891.tif 000002
【特許請求の範囲】
【請求項１】
第１の無線通信機器と、
前記第１の無線通信機器との間で無線通信を行う第２の無線通信機器と、を備え、
前記第２の無線通信機器は、指向性を有する無線通信方式における接続認証が前記第１の無線通信機器との間で完了した後、前記指向性を有する無線通信方式で接続可能な指向領域を通知する、
無線通信システム。
【請求項２】
前記第１の無線通信機器および前記第２の無線通信機器は、第１の無線通信方式または前記指向性を有する無線通信方式である第２の無線通信方式を用いて前記無線通信を行い、
前記第２の無線通信機器は、前記第２の無線通信方式における前記接続認証が前記第１の無線通信機器との間で前記第１の無線通信方式によって完了した後、前記第２の無線通信方式で接続可能な前記指向領域を通知する、
請求項１に記載の無線通信システム。
【請求項３】
前記第２の無線通信機器は、通知部を有し、
前記通知部は、前記指向領域を可視光または音で通知する、
請求項２に記載の無線通信システム。
【請求項４】
前記第２の無線通信機器は、データ格納部を有し、
前記第２の無線通信機器は、前記指向領域を前記データ格納部が有するデータを用いて通知する、
請求項２に記載の無線通信システム。
【請求項５】
前記第１の無線通信方式は、指向性を有しない、
請求項２から４のいずれか１項に記載の無線通信システム。
【請求項６】
前記指向性を有する無線通信方式はＷｉＧｉｇである、
請求項１から５のいずれか１項に記載の無線通信システム。
【請求項７】
受信端末との間で無線通信を行う送信端末であって、
指向性を有する無線通信方式における接続認証を行う接続認証部と、
前記接続認証が前記受信端末との間で完了した後、前記指向性を有する無線通信方式で接続可能な指向領域を通知する制御部と、を有する、
送信端末。
【請求項８】
前記無線通信は、第１の無線通信方式または前記指向性を有する無線通信方式である第２の無線通信方式を用いて行なわれ、
前記第２の無線通信方式における前記接続認証は、前記第１の無線通信方式によって行われ、
前記制御部は、前記接続認証が前記受信端末との間で完了した後、前記第２の無線通信方式で接続可能な前記指向領域を通知する、
請求項７に記載の送信端末。
【請求項９】
通知部をさらに備え、
前記制御部は、前記通知部に可視光または音を発せさせることにより前記指向領域を通知する、
請求項８に記載の送信端末。
【請求項１０】
データ格納部をさらに備え、
前記制御部は、前記指向領域を前記データ格納部が有するデータを用いて通知する、
請求項８に記載の送信端末。
【請求項１１】
前記第１の無線通信方式は、指向性を有しない、
請求項８から１０のいずれか１項に記載の送信端末。
【請求項１２】
前記第１の無線通信方式はＷｉＦｉであり、
前記第２の無線通信方式はＷｉＧｉｇである、
請求項８から１１のいずれか１項に記載の送信端末。
【発明の詳細な説明】
【技術分野】
【０００１】
本開示は、指向性を有する無線通信方式を用いる無線通信システムおよび送信端末に関する。
【背景技術】
【０００２】
端末装置間で無線通信を行う際、ユーザが有する受信端末が無線通信の最適な方向を表示する無線通信システムが開示されている（特許文献１）。
【先行技術文献】
【特許文献】
【０００３】
【特許文献１】特開２００５−２０２４９２号公報
【発明の概要】
【０００４】
しかしながら、指向性を有する無線通信方式を用いて無線通信する場合、ユーザは指向性を有する無線通信方式における無線通信に好適な位置を把握することが困難である。
【０００５】
本開示における無線通信システムは、第１の無線通信機器と、第１の無線通信機器との間で無線通信を行う第２の無線通信機器と、を有する。第２の無線通信機器は、指向性を有する無線通信方式における接続認証を第１の無線通信機器との間で完了した後、指向性を有する無線通信方式で接続可能な指向領域を通知する。
【０００６】
また、本開示における送信端末は、受信端末との間で無線通信を行う。送信端末は、指向性を有する無線通信方式における接続認証を行う接続認証部と、接続認証が受信端末との間で完了した後、指向性を有する無線通信方式で接続可能な指向領域を通知する制御部と、を有する。
【０００７】
本開示における無線通信システムおよび送信端末は、指向性を有する無線通信方式を用いて無線通信する場合において、ユーザは指向性を有する無線通信方式における無線通信に好適な位置を把握することを容易にする。
【図面の簡単な説明】
【０００８】
【図１】実施の形態１における無線通信システムの外観の一例を示す図
【図２】実施の形態１における無線通信システムの構成の一例を示す図
【図３】実施の形態１における無線通信システムにおいて、受信端末によるＷｉＧｉｇ接続認証の要求から、送信端末の通知部が通知開始するまでの動作の一例を示す図
【図４】実施の形態１における無線通信システムにおいて、通知部における通知開始後から通知終了するまでの動作の一例を示す図
【図５】実施の形態１における無線通信システムにおいて、受信端末が指向性を有する無線通信方式との接続可能な指向領域外に存在する場合の可視光による通知の一例を示す図
【図６】実施の形態１における無線通信システムにおいて、受信端末が指向性を有する無線通信方式との接続可能な指向領域内に存在する場合の可視光による通知の一例を示す図
【図７】実施の形態１における無線通信システムにおいて、受信端末が指向性を有する無線通信方式との接続可能な指向領域外に存在する場合の音による通知の一例を示す図
【図８】実施の形態１における無線通信システムにおいて、受信端末が指向性を有する無線通信方式との接続可能な指向領域内に存在する場合の音による通知の一例を示す図
【図９】実施の形態２における送信端末の構成の一例を示す図
【図１０】実施の形態２における無線通信システムにおいて、受信端末が指向性を有する無線通信方式との接続可能な指向領域外に存在する場合の格納データの取り扱いの一例を示す図
【図１１】実施の形態２における無線通信システムにおいて、受信端末が指向性を有する無線通信方式との接続可能な指向領域内に存在する場合の格納データの取り扱いの一例を示す図
【図１２】変形例１における無線通信システムにおいて、受信端末が指向性を有する無線通信方式との接続可能な指向領域外に存在する場合の通知部による可視光の表示の一例を示す図
【図１３】変形例１における無線通信システムにおいて、受信端末が指向性を有する無線通信方式との接続可能な指向領域内に存在する場合の通知部による可視光の表示の一例を示す図
【図１４】変形例２における無線通信システムにおいて、光源近傍にシェードを設け、指向性を有する無線通信方式との接続可能な指向領域外に受信端末が存在する場合の一例を示す図
【図１５】変形例２における無線通信システムにおいて、光源近傍にシェードを設け、指向性を有する無線通信方式との接続可能な指向領域内に受信端末が存在する場合の一例を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、添付図面および以下の説明は、当業者が本開示を十分に理解するために、提供されるのであって、これらにより請求の範囲に記載の主題を限定することは意図されていない。
【００１１】
（実施の形態１）
以下、図１〜図８を用いて本実施の形態を説明する。
【００１２】
［１．構成］
図１および図２を用いて本実施の形態の無線通信システム１について説明する。
【００１３】
図１は、本実施の形態における無線通信システム１の外観の一例を示す図である。
【００１４】
図１において、無線通信システム１は、送信端末１２と、受信端末１３と、を有する。監視カメラ１１および送信端末１２は、街頭などに柱等によって設置されている。また、監視カメラ１１も無線通信システム１に含まれていてもよい。
【００１５】
監視カメラ１１は、撮影した画像データまたは映像データ（以下、画像データと総称する）を、ＬＡＮ（Ｌｏｃａｌ  Ａｒｅａ  Ｎｅｔｗｏｒｋ）ケーブル１４を介して送信端末１２に送信する。
【００１６】
送信端末１２は、監視カメラ１１から送信された画像データを記録し、監視カメラ１１にＬＡＮケーブル１４を介して給電する。また、送信端末１２は、受信端末１３との間でＷｉＧｉｇ（Ｗｉｒｅｌｅｓｓ  Ｇｉｇａｂｉｔ）（登録商標）、ＷｉＦｉ（Ｗｉｒｅｌｅｓｓ  Ｆｉｄｅｌｉｔｙ）（登録商標）などを用いて無線通信を行い、記録した監視カメラ１１の画像データ等を送信する。
【００１７】
受信端末１３は、無線通信機能を持つ端末で、ＰＣ（Ｐｅｒｓｏｎａｌ  Ｃｏｍｐｕｔｅｒ）、タブレット、スマートフォン等であり、ユーザが受信端末１３上で操作することで、送信端末１２に保存されている監視カメラ１１の画像データをダウンロードする。
【００１８】
なお、監視カメラ１１の画像は、店内や、街頭等の画像データであり、撮影した画像データには、プライバシー等の問題がある。そのため、画像データが保存される監視カメラ１１、送信端末１２は、通行人に破壊されたり、監視カメラ１１の画像データが盗まれたりしないようにセキュリティを考慮して、一般の人の手の届かない高さに設置されている。
【００１９】
図２は、本実施の形態における無線通信システム１の構成の一例を示す図である。
【００２０】
図２において、送信端末１２は、ＷｉＧｉｇ通信部１２１と、ＷｉＦｉ通信部１２２と、ＬＡＮ通信部１２３と、制御部１２４と、記憶部１２５と、を有する。
【００２１】
ＷｉＧｉｇ通信部１２１は、ＷｉＧｉｇパケットを送受信する。ＷｉＧｉｇ通信部１２１は、無線信号を送受信するためのアンテナや無線信号制御回路などから構成される。
【００２２】
ＷｉＦｉ通信部１２２は、ＷｉＦｉパケットを送受信する。ＷｉＦｉ通信部１２２は、無線信号を送受信するためのアンテナや無線信号制御回路などから構成される。なお、ＷｉＧｉｇ通信部１２１と共用できる部分については共通化してもよい。
【００２３】
ここで、本実施の形態で用いる２つの無線通信方式ＷｉＧｉｇとＷｉＦｉとについて詳細に説明する。ＷｉＧｉｇは、６０ＧＨｚ帯の無線であり、周波数が高いため、直進性があり、指向性のある無線通信方式である。また、壁、窓等の遮蔽物を透過せず、減衰しやすいため、例えば、通信距離が１０ｍ程度のものが存在する。ＷｉＧｉｇは、本開示の第２の無線通信方式に対応する。
【００２４】
これに対して、ＷｉＦｉは、２．４ＧＨｚ帯や５．０ＧＨｚ帯の無線であり、周波数がＷｉＧｉｇに比べて低く、指向性の無い（無指向性）無線通信方式である。また、壁、窓等の遮蔽物を透過し、通信距離もＷｉＧｉｇに比べて長い。ＷｉＦｉは、本開示の第１の無線通信方式に対応する。
【００２５】
ＬＡＮ通信部１２３は、監視カメラ１１の画像データをＬＡＮパケットにて受信する。ＬＡＮ通信部１２３は、ＬＡＮインターフェース部、及びＬＡＮ信号制御回路等から構成される。
【００２６】
制御部１２４は、ＷｉＧｉｇ通信部１２１、ＷｉＦｉ通信部１２２、ＬＡＮ通信部１２３、記憶部１２５、接続認証部１２６、通知部１２７を制御する。具体的には、制御部１２４は、ＬＡＮ通信部１２３で受信した監視カメラの画像データを記憶部１２５に格納する。
【００２７】
また、制御部１２４は、ＷｉＦｉ通信部１２２を用いて受信端末１３からの管理情報要求を受信し、要求された管理情報を受信端末１３に送信する。
【００２８】
ここで、管理情報とは、例えば、送信端末１２が記憶している監視カメラ１１の画像データの一覧であり、具体的には、カメラＩＤ（カメラ名）、日時等のリスト情報であり、このリスト情報にサムネイル画像が含まれていてもよい。
【００２９】
また、制御部１２４は、ＷｉＦｉ通信部１２２および接続認証部１２６を用いて、ＷｉＧｉｇ通信を行うための接続認証を受信端末１３との間で行う。
【００３０】
また、受信端末１３との間で接続認証されると、制御部１２４は、受信端末１３がＷｉＧｉｇ通信部１２１におけるＷｉＧｉｇ通信可能な指向領域内に含まれるように、通知部１２７を用いてＷｉＧｉｇ通信可能な指向領域を通知する。
【００３１】
また、制御部１２４は、受信端末１３が要求する選択情報を受信し、ＷｉＧｉｇ通信部１２１を用いて、記憶部１２５に格納された監視カメラ１１の画像データを転送する。制御部１２４は演算ユニット、及び演算ユニット上で実行されるソフトウェア等から構成される。
【００３２】
ここで、選択情報とは、上記リスト情報の中から受信端末１３において選択した情報であり、リスト情報の中から１つのデータ（１つの項目）を選んでもよいし、複数のデータ、もしくは全部のデータを選んでもよい。
【００３３】
記憶部１２５は、監視カメラ１１からＬＡＮ通信部１２３を介して受信した画像データを保存する。記憶部１２５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＮＡＮＤ  ＦＬＡＳＨ（ＮＡＮＤ  Ｆｌａｓｈ  Ｍｅｍｏｒｙ）等の記憶デバイス等で構成される。
【００３４】
接続認証部１２６は、受信端末１３とＷｉＧｉｇ通信するための接続認証を行う。なお、接続認証は例えば下記のように受信端末１３との間で行われる。
【００３５】
（１）ＷｉＧｉｇ用接続認証
ＷｉＦｉ経由で受信端末１３がＷｉＧｉｇ用の接続認証するための情報を送信する。そして、送信端末１２では、受信端末１３から送信されたＷｉＧｉｇ用の接続認証するための情報を接続認証部１２６で照合し、合致した場合に接続を認証する。
【００３６】
具体的な一例として、受信端末１３がＷｉＧｉｇ用の接続認証するための情報としてＳＳＩＤ（Ｓｅｒｖｉｃｅ  Ｓｅｔ  Ｉｄｅｎｔｉｆｉｅｒ）、ＰＳＫ（Ｐｒｅ−Ｓｈａｒｅｄ  Ｋｅｙ）などを入力する。そして、接続認証部１２６は、受信端末１３から送信されたＳＳＩＤ、ＰＳＫのような鍵情報などが接続認証部１２６に保持されるＳＳＩＤ、ＰＳＫのような鍵情報などと合致されるか否かに基づいて接続認証を行う。
【００３７】
（２）ＷｉＦｉと同時に接続認証
受信端末１３とのＷｉＦｉにおける接続が認証されるとともに、ＷｉＧｉｇにおける接続も認証する。
【００３８】
具体的な一例として、ＷｉＦｉの接続認証の際のＳＳＩＤ、パスワードなどが接続認証部１２６に保持されるＳＳＩＤ、パスワードなどと合致しているか否かに基づいて接続認証を行う。
【００３９】
（３）独自認証
ＷｉＦｉ経由で受信端末１３が画像データをダウンロードするための独自の接続認証を送信する。そして、送信端末１２では、受信端末１３から送信される接続認証のための情報を接続認証部１２６で照合し、合致した場合に接続を認証する。
【００４０】
具体的な一例として、受信端末１３が送信端末１２のＷｅｂサーバにアクセスし、独自認証としてダウンロード用のＩＤ、パスワードなどを入力する。そして、接続認証部１２６は、受信端末１３から送信されたダウンロード用のＩＤ、パスワードが接続認証部１２６に保持されるダウンロード用のＩＤ、パスワードと合致されるか否かに基づいて接続認証を行う。
【００４１】
通知部１２７は、ＷｉＧｉｇ通信部１２１におけるＷｉＧｉｇ通信可能な指向領域を通知する。通知の手段としては、例えば、ＷｉＧｉｇ通信可能な指向領域に対応するように可視光によって通知すること、ＷｉＧＩｇ通信可能な指向領域内に受信端末が存在する場合に音によって通知することなどがある。
【００４２】
なお、ＷｉＧｉｇ通信可能な指向領域とは、送信端末１２と受信端末１３の間でＷｉＧｉｇ接続が可能な領域である。
【００４３】
また、通知部１２７は、可視光によって通知する場合には例えばＬＥＤ（Ｌｉｇｈｔ  Ｅｍｉｔｔｉｎｇ  Ｄｉｏｄｅ）照明で構成され、音によって通知する場合にはスピーカで構成される。
【００４４】
［２．動作］
図３および図４を用いて本実施の形態の無線通信システム１の動作について説明する。
【００４５】
図３は、本実施の形態における無線通信システム１において、受信端末１３におけるＷｉＧｉｇ接続認証の要求から、送信端末１２において通知部１２７が通知開始するまでの動作の一例を示す図である。
【００４６】
ステップＳ２０１：受信端末１３は、ＷｉＦｉを用いてＷｉＧｉｇ接続認証を送信端末１２に対して要求する。
【００４７】
ステップＳ２０２：受信端末１３からＷｉＧｉｇ接続認証を要求された後、接続認証部１２６は、ＷｉＧｉｇ接続認証の成否を判断する。具体的には、接続認証部１２６における上記の説明のように、（１）ＷｉＧｉｇ用接続認証、（２）ＷｉＦｉと同時に接続認証、（３）独自認証、などのようにＷｉＧｉｇ接続認証の成否を判断する。
【００４８】
ステップＳ２０３：接続認証部１２６はＷｉＧｉｇ接続認証の成否を制御部１２４に送信する。
【００４９】
ステップＳ２０４：ステップＳ２０３において、ＷｉＧｉｇ接続認証が成功の場合（Ｓ２０３でＹｅｓ）、制御部１２４は、通知部１２７を用いて通知を開始する。例えば、通知部１２７は可視光によってＷｉＧｉｇ通信可能な指向領域を表示すること、音によってＷｉＧｉｇ通信可能な指向領域にユーザを誘導すること、により通知する。通知部１２７による通知の開始にともない、ＷｉＧｉｇ接続認証における動作は終了する。
【００５０】
また、ステップＳ２０３において、ＷｉＧｉｇ接続認証が失敗の場合（Ｓ２０３でＮｏ）、制御部１２４は、ＷｉＧｉｇ接続認証の要求があった受信端末１３とのＷｉＧｉｇ接続認証処理を終了する。
【００５１】
図４は、本実施の形態における無線通信システム１において、通知部１２７における通知開始後から通知終了するまでの動作の一例を示す図である。
【００５２】
ステップＳ４０１：送信端末１２は、ＷｉＧｉｇ接続認証状態を監視する。具体的には、通知部１２７によって通知している間、制御部１２４は、受信端末１３とのＷｉＧｉｇ接続認証状態が継続しているか否かを監視する。
【００５３】
ステップＳ４０２：制御部１２４は、監視によって、ＷｉＧｉｇ接続認証が認証切れであるかどうかを判断する。
【００５４】
なお、認証切れについては例えば下記のようなケースが該当する。
【００５５】
（ケース１）ユーザ操作による接続終了時
ケース１は、例えば、送信端末１２と受信端末１３との間でＷｉＧｉｇ接続認証の完了後に、ＷｉＦｉまたはＷｉＧｉｇ経由で、送信端末１２が受信端末１３からＷｉＧｉｇ接続を終了（切断）する旨を受信した場合である。
【００５６】
（ケース２）異常による無線接続の切断時
ケース２は、例えば、受信端末１３がＷｉＦｉ接続可能な通信領域外に移動するなどで、送信端末１２がＷｉＦｉ接続の切断を検知した場合である。
【００５７】
ステップＳ４０３：ステップＳ４０２においてＷｉＧｉｇ接続認証が認証切れしていると判断した場合（Ｓ４０２でＹｅｓ）、通知部１２７は通知を終了する。したがって、通知部１２７が可視光によってＷｉＧｉｇ通信可能な指向領域を表示する場合には可視光による表示を終了し、音によってＷｉＧｉｇ通信可能な指向領域にユーザを誘導する場合には、音による誘導を終了する。
【００５８】
ステップＳ４０２においてＷｉＧｉｇ接続認証が認証切れしていないと判断した場合（Ｓ４０２でＮｏ）、ステップＳ４０１における接続認証状態の監視を継続する。
【００５９】
ステップＳ４０３において通知部１２７による通知を終了した後、送信端末１２は、受信端末１３とのＷｉＧｉｇによる無線通信を終了する。
【００６０】
［３．効果］
以上のように、本開示における無線通信システム１は、送信端末１２と受信端末１３との間で無線通信を行う。そして、ＷｉＧｉｇのような指向性を有する無線通信方式における接続認証を受信端末１３との間で行ってから指向性を有する無線通信方式における接続認証が切れるまで、送信端末１２は、受信端末１３に対して、指向性を有する無線通信方式で接続可能な指向領域を通知する。
【００６１】
これにより、受信端末１３を有するユーザは、ＷｉＧｉｇのような指向性を有する無線通信方式における無線通信を用いたい時でも、指向性を有する無線通信方式で通信することができる通信領域を容易に把握することができる。
【００６２】
また、本開示における無線通信システム１は、ＷｉＦｉのような無線通信方式を用いて、ＷｉＧｉｇのような指向性を有する無線通信方式における接続認証を行う。
【００６３】
これにより、本開示における無線通信システムは、事前にＷｉＦｉを用いて無線通信可能であるため、ＷｉＧｉｇによる通信のための接続認証を、ＷｉＦｉを経由して行うことができる。
【００６４】
また、ＷｉＦｉは、ＷｉＧｉｇと比較すれば無指向性の無線通信方式であるため、ユーザはＷｉＧｉｇによる通信のための接続認証時には、無線の指向を考慮しなくてもよい。
【００６５】
さらには、ＷｉＦｉを用いることで、接続認証部１２６における上記の説明のように、接続認証にＷｉＦｉの接続認証の際に用いた情報を用いてＷｉＧｉｇによる接続認証を判断することもできる。
【００６６】
また、本開示における無線通信システム１は、通知部１２７として、受信端末１３とＷｉＧｉｇのような指向性を有する無線通信方式で接続可能な指向領域を可視光または音で通知する。
【００６７】
ここで、可視光における通知を図５および図６を用いて説明し、音による通知を図７および図８を用いて説明する。
【００６８】
図５は、本実施の形態における無線通信システム１において、受信端末１３が指向性を有する無線通信方式との接続可能な指向領域外に存在する場合の可視光の一例を示す図である。
【００６９】
図６は、本実施の形態における無線通信システム１において、受信端末１３が指向性を有する無線通信方式との接続可能な指向領域内に存在する場合の可視光の一例を示す図である。
【００７０】
図５に示すように、受信端末１３が指向性を有する無線通信方式との接続可能な指向領域外に存在する場合、ＷｉＧｉｇで接続可能な通信領域へとユーザを移動させるために、ＷｉＧｉｇで接続可能な通信領域に対応するように通知部１２７は可視光を照射する。
【００７１】
そして、図６に示すように、ユーザがＷｉＧｉｇで接続可能な通信領域へ移動し、受信端末１３がＷｉＧｉｇ接続により画像データを送信端末１２から受信した後、ＷｉＧｉｇで接続を終了する。こうして、送信端末１２が受信端末１３とのＷｉＧｉｇ接続の接続認証切れを検知すると、通知部１２７は可視光の照射を終了する。また、受信端末１３が、ＷｉＧｉｇで接続を終了させることなく、ＷｉＧｉｇ接続可能な通信領域から離れさらにＷｉＦｉ接続可能な通信領域からも離れると、送信端末１２はＷｉＧｉｇ接続の接続認証切れを検知して、可視光の照射を終了する。
【００７２】
図７は、本実施の形態における無線通信システム１において、受信端末１３が指向性を有する無線通信方式との接続可能な指向領域外に存在する場合の音の一例を示す図である。
【００７３】
図８は、本実施の形態における無線通信システム１において、受信端末１３が指向性を有する無線通信方式との接続可能な指向領域内に存在する場合の音の一例を示す図である。図７および図８においては、通知部１２７として指向性スピーカを用いる。
【００７４】
図７に示すように、受信端末１３が指向性を有する無線通信方式との接続可能な指向領域外に存在する場合、ユーザに音は聞こえない。
【００７５】
しかしながら、図８に示すように、ユーザが指向領域内に存在する場合、ユーザは指向性スピーカから音を聞き取ることができる。
【００７６】
そして、受信端末１３が指向性を有する無線通信（ＷｉＧｉｇ）方式での接続可能な指向領域に存在し、ＷｉＧｉｇ接続が接続認証切れとなった際、指向性スピーカは音の発生を終了する。
【００７７】
これにより、ユーザが可視光または音によって指向性を有する無線通信方式で通信することができる通信領域を容易に把握することができる。
【００７８】
（実施の形態２）
以下、図９〜図１１を用いて実施の形態２として実施の形態１とは異なる一例を説明する。
【００７９】
図９は、実施の形態２における無線通信システム２の送信端末２２の構成の一例を示す図である。
【００８０】
図９に示す送信端末２２は、実施の形態１の図２に示す送信端末１２が有する通知部１２７に代えてデータ格納部１２８を有する点が異なっている。その他の構成は、図２における構成と同様のため、説明は割愛する。
【００８１】
データ格納部１２８は、ＷｉＧｉｇ通信部１２１におけるＷｉＧｉｇ通信可能な指向領域に受信端末１３が存在するか否かを示すデータを格納する。また、例えば、指向領域においてビーコン信号またはＧＰＳ（Ｇｌｏｂａｌ  Ｐｏｓｉｔｉｏｎｉｎｇ  Ｓｙｓｔｅｍ）情報等を用いて受信端末１３の位置を把握し、どの方向に進めばＷｉＧｉｇで接続可能な通信領域内となるかを示すデータを格納しても良いし、ユーザの立ち位置が示されたサンプル画像のデータを事前に格納しても良い。
【００８２】
そして、実施の形態２において実施の形態１と異なる動作としては、図３のステップＳ２０４においてＷｉＦｉ通信部１２２を介して受信端末１３にデータ格納部１２８に格納されるデータを送信することで通知動作を開始する点と、図４のステップＳ４０３においてＷｉＧｉｇ接続認証が認証切れしていると判断した場合、データ格納部１２８に格納されるデータの送信を終了することで通知動作を終了する点である。
【００８３】
このことから、ＷｉＧｉｇのような指向性を有する無線通信方式の接続認証が切れるまで、送信端末２２はデータ格納部１２８に格納されるデータを用いて指向性を有する無線通信方式で接続可能な指向領域を通知する。
【００８４】
ここで、データ格納部１２８を用いた通知を図１０および図１１を用いて説明する。
【００８５】
図１０は、本実施の形態における無線通信システム２において、受信端末１３が指向性を有する無線通信方式との接続可能な指向領域外に存在する場合の格納データの取り扱いの一例を示す図である。
【００８６】
図１１は、本実施の形態における無線通信システム２において、受信端末１３が指向性を有する無線通信方式との接続可能な指向領域内に存在する場合の格納データの取り扱いの一例を示す図である。
【００８７】
図１０に示すように、受信端末１３が指向性を有する無線通信方式との接続可能な指向領域外に存在する場合、ＷｉＧｉｇで接続可能な通信領域へとユーザを移動させるために、送信端末２２の制御部１２４はデータ格納部１２８に格納されるデータを用いて受信端末１３に通知する。例えば、制御部１２４は、受信端末１３が有する表示画面に対して“通信領域外です。”といったように通信領域外に存在する旨を表示させるためのデータを、ＷｉＦｉ通信部１２２を介して送信する。
【００８８】
また、送信端末２２は、ビーコン信号またはＧＰＳ情報等を用いて受信端末１３の位置を把握し、どの方向に進めばＷｉＧｉｇで接続可能な通信領域内となるかを表示しても良い。
【００８９】
そして、図１１に示すように、ＷｉＧｉｇ接続が接続認証切れとなった際、送信端末１２はデータの送信を終了する。例えば、図１１のように受信端末１３が有する表示画面に対して“通信領域外です。”といった旨のデータが表示されなくなる。
【００９０】
これにより、ユーザが通知データの通信によって指向性を有する無線通信方式で通信することができる通信領域を容易に把握することができる。
【００９１】
（変形例１）
実施の形態１の無線通信システム１において、指向性を有する無線通信方式で通信することができる通信領域を可視光によって通知する場合、送信端末１２の通知部１２７がＬＥＤ照明で構成される例を示した。しかし、可視光を用いて通知する場合、例えば、太陽光、周囲に存在する照明の光のような外光が影響を与え、ユーザにとって可視光が見え難いことがある。
【００９２】
そこで、指向性を有する無線通信方式で通信することができる通信領域を、ユーザがより容易に把握できるように、可視光を用いて図形を表示することによって受信端末１３に通知する変形例１を、図１２および図１３を用いて説明する。
【００９３】
図１２は、実施の形態１における無線通信システム１において、受信端末１３が指向性を有する無線通信方式との接続可能な通信領域外に存在する場合の可視光による図形の表示の一例を示す図である。
【００９４】
図１２に示すように、送信端末１２の通知部１２７は、可視光域のレーザ光などを用いて図形を地面に描写し、放射された光の図形によって受信端末１３が通信領域内に含まれる位置をユーザに通知する。
【００９５】
また、図１２に示すように、矢印を示す図形を用いた通知、楕円を示す図形を用いたユーザの立ち位置を通知、により無線偏波を考慮した適正な角度にも対応することができる。
【００９６】
そして、図１３が変形例１における無線通信システム１において、受信端末１３が指向性を有する無線通信方式との接続可能な通信領域内に存在する場合の可視光の表示の一例を示す図である。
【００９７】
図１２、図１３のように、可視光を用いて図形を表示することで、通常の照明、例えばスポットライトでは視認が困難な環境であっても、ユーザは通知を把握することができる。
【００９８】
（変形例２）
また、指向性を有する無線通信方式で通信することができる通信領域を、光源１５とシェード１６を用いることで可視光により通知する変形例２、図１４および図１５を用いて説明する。
【００９９】
図１４は、変形例２における無線通信システム１において、送信端末１２の通知部１２７は光源１５およびシェード１６を有し、指向性を有する無線通信方式との接続可能な通信領域外に受信端末１３が存在する場合の一例を示す図である。
【０１００】
図１４に示すように、光源１５の近傍にシェード１６を設けている。シェード１６は、指向性を有する無線通信方式の指向に合わせた角度に配置されている。そのため、通信領域外に存在するユーザからは光源１５の点灯を確認することができない。
【０１０１】
そして、図１５が変形例２における無線通信システム１において、光源１５の近傍にシェード１６を設け、指向性を有する無線通信方式との接続可能な通信領域内に受信端末１３が存在する場合の一例を示す図である。
【０１０２】
図１５のように、ユーザは、指向性を有する無線通信方式の通信領域内から光源１５を見たときのみ、光源１５の点灯を視認することができ、通信領域内に入ったことを知ることができる。
【０１０３】
図１４、図１５のように構成することで、外光によって周囲が明るい場合であっても、ユーザは指向性を有する無線通信方式の通信領域を把握することができる。即ち、ユーザは、光源１５の点灯を視認することができる場合は通信領域内であるとの送信端末１２からの通知として、光源１５の点灯を視認することができない場合は通信領域外あるとの送信端末１２からの通知として、認識することができる。
【０１０４】
なお、図１４および図１５においてはシェード１６を用いた例を示したが、これに限定されるものではなく、光の方向が限定されるものであればよい。そのため、シェード１６に代えてレンズを用いてもよい。
【０１０５】
（その他の実施の形態）
なお、本開示において、送信端末と受信端末との間のＷｉＦｉについては、アドホック方式であっても、インフラストラクチャ方式であってどちらでも良い。すなわち、送信端末と受信端末との間で直接ＷｉＦｉ接続する方式であっても、アクセスポイント（基地局）を介して送信端末と受信端末との間でＷｉＦｉ接続する方式であってもよい。
【０１０６】
また、受信端末１３は、ユーザが受信端末１３上で操作することで、送信端末に保存されている監視カメラ１１の画像データをダウンロードするとしたが、これに限定されない。すなわち、ユーザの操作なしに受信端末１３へ画像データをダウンロードする構成であってもよい。
【０１０７】
また、送信端末が有する管理情報はリスト情報を一例としたが、リスト情報を用いずに、事前に設定された固定フォルダのデータとしてもよい。
【０１０８】
また、ステップＳ４０２においてＷｉＧｉｇ接続認証が認証切れしていると判断した場合、制御部１２４（通知部１２７）は通知を終了するとしたが、これに限定されない。例えば、制御部１２４は通知動作の開始後、受信端末によるダウンロードの開始前に、ユーザ操作によって通知動作を停止するような構成であってもよい。また、ＷｉＧｉｇの接続認証が完了して送信端末がＷｉＧｉｇ接続可能な指向領域を通知し、受信端末がその指向領域に位置することとなって、送信端末と受信端末との間でＷｉＧｉｇ接続が開始されたときに、指向領域の通知を停止してもよい。ＷｉＧｉｇ接続が開始されると、もはや指向領域の通知は必要がない場合もあるからである。
【０１０９】
また、受信端末１３が指向性を有する無線通信方式との接続可能な指向領域内に存在する場合、ＷｉＧｉｇで接続可能な通信領域へとユーザを移動させるために、通知部１２７として指向性スピーカを用いて音を発生させる一例を示したが、これに限定されない。例えば、受信端末１３が指向性を有する無線通信方式との接続可能な指向領域外に存在する場合、通知部１２７を用いて音を発生させる構成であってもよい。具体的には、メロディを発生させること、ＷｉＧｉｇで接続可能な通信領域外である旨を音声としてアナウンスすること、などをしても良い。
【０１１０】
また、アナウンスの場合は、送信端末は、ビーコン信号またはＧＰＳ情報等を用いて受信端末１３の位置を把握し、どの方向に進めばＷｉＧｉｇで接続可能な通信領域内となるかをアナウンスしても良い。
【０１１１】
以上のように、本開示における技術の例示として、実施の形態を説明した。そのために、添付図面および詳細な説明を提供した。
【０１１２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１３】
また、上述の実施の形態は、本開示における技術を例示するためのものであるから、請求の範囲またはその均等の範囲において種々の変更、置き換え、付加、省略などを行うことができる。
【産業上の利用可能性】
【０１１４】
本開示にかかる無線通信システムおよび送信端末は、送信端末と、ユーザが有する受信端末と、の間で無線通信を行う際に、指向性を有する無線通信方式で可能な通信領域をユーザに通知する際に有用である。
【符号の説明】
【０１１５】
１、２  無線通信システム
１１  監視カメラ
１２、２２  送信端末
１３  受信端末
１４  ＬＡＮケーブル
１５  光源
１６  シェード
１２１  ＷｉＧｉｇ通信部
１２２  ＷｉＦｉ通信部
１２３  ＬＡＮ通信部
１２４  制御部
１２５  記憶部
１２６  接続認証部
１２７  通知部
１２８  データ格納部
【図１】
2019097891.tif 000003
【図２】
2019097891.tif 000004
【図３】
2019097891.tif 000005
【図４】
2019097891.tif 000006
【図５】
2019097891.tif 000007
【図６】
2019097891.tif 000008
【図７】
2019097891.tif 000009
【図８】
2019097891.tif 000010
【図９】
2019097891.tif 000011
【図１０】
2019097891.tif 000012
【図１１】
2019097891.tif 000013
【図１２】
2019097891.tif 000014
【図１３】
2019097891.tif 000015
【図１４】
2019097891.tif 000016
【図１５】
2019097891.tif 000017
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
ユーザが使用する受信端末と、
前記受信端末との間で指向性を有する無線通信方式にてデータを送信する送信端末と、を備え、
前記送信端末は、前記受信端末との間において、他の通信方式を用いた前記無線通信方式の接続認証が成功した場合、前記無線通信方式で接続可能な指向領域を通知し、前記接続認証が失敗した場合、前記無線通信方式で接続可能な指向領域を通知しない、
無線通信システム。
【請求項２】
前記送信端末は、前記接続認証の認証が切れた場合、前記指向領域の通知を停止する、
請求項１に記載の無線通信システム。
【請求項３】
前記受信端末は、前記接続認証が成功し、かつ前記受信端末が前記指向領域外に存在する場合、その旨を通知する、
請求項１または２に記載の無線通信システム。
【請求項４】
前記送信端末は、通知部を有し、
前記通知部は、前記指向領域を可視光または音で通知する、
請求項１から３のいずれか１項に記載の無線通信システム。
【請求項５】
前記送信端末は、データ格納部を有し、
前記送信端末は、前記指向領域を前記データ格納部が有するデータを用いて通知する、
請求項１から４のいずれか１項に記載の無線通信システム。
【請求項６】
前記指向性を有する無線通信方式はＷｉＧｉｇである、
請求項１から５のいずれか１項に記載の無線通信システム。
【請求項７】
受信端末との間で無線通信を行う送信端末であって、
指向性を有する無線通信方式における接続認証を行う接続認証部と、
前記接続認証が成功した場合、前記無線通信方式で接続可能な指向領域を通知し、前記接続認証が失敗した場合、前記無線通信方式で接続可能な指向領域を通知しないように制御する制御部と、を有する、
送信端末。
【請求項８】
前記制御部は、前記接続認証の認証が切れた場合、前記指向領域の通知を停止する、
請求項７に記載の送信端末。
【請求項９】
通知部をさらに備え、
前記制御部は、前記通知部に可視光または音を発せさせることにより前記指向領域を通知する、
請求項７または８に記載の送信端末。
【請求項１０】
データ格納部をさらに備え、
前記制御部は、前記指向領域を前記データ格納部が有するデータを用いて通知する、
請求項７から９のいずれか１項に記載の送信端末。
【請求項１１】
前記指向性を有する無線通信方式はＷｉＧｉｇである、
請求項７から１０のいずれか１項に記載の送信端末。
【国際調査報告】
2019097891.tif 000018
2019097891.tif 000019